【手続補正書】
【提出日】平成23年1月4日(2011.1.4)
【手続補正１】
【補正対象書類名】特許請求の範囲
【補正対象項目名】全文
【補正方法】変更
【補正の内容】
【特許請求の範囲】
【請求項１】
内燃機関の閉ループチェーン駆動動力伝達システム用のラチェット式テンショナであって、
ａ）エンジンに回動可能に取り付けられる基本テンショナアームであり、チェーンの１つのストランドと接触するチェーン摺動表面を備えた内側の縁部、および、外側の縁部を有する基本テンショナアームと、
ｂ）エンジンに取り付けられる調整テンショナアームであり、チェーンの第２ストランドと接触するチェーン摺動表面を備えた内側の縁部、および、外側の縁部を有する調整テンショナアームと、
ｃ）第１端部および第２端部を有するリンクプレートであり、前記第１端部の近傍において捩り支承部によって前記基本テンショナアームに回動可能に固定されるリンクプレートと、
ｄ）前記リンクプレートの第２端部に近接して配置されるラチェットであり、中心線と内側の側壁と外側の側壁とを有する縦長形状の溝を含むラチェットであって、前記溝の中心線が、前記捩り支承部の軸と前記溝の長手方向の中心との間の想像線の垂線から約５〜１５°に配置されるラチェットと、
ｅ）前記調整テンショナアームに固定されるラチェットピンであり、前記リンクプレートが、前記捩り支承部が供給する捩り力に応答して回動するときに、前記溝の長さに沿って一方向にのみ動くラチェットピンと、
を含むラチェット式テンショナにおいて、
前記閉ループ動力伝達システムの構成部品の時間経過による摩耗のためにチェーンの弛緩が漸進的に増大する場合、前記ラチェットピンが前記溝の中を通って動き、前記ピンの前記溝の中を通るその動きによって、前記基本テンショナアームおよび前記調整テンショナアームを互いの方に向かって漸進的に動かすよう付勢する、ラチェット式テンショナ。
【請求項２】
請求項１に記載のラチェット式テンショナであって、前記捩り支承部に印加される捩り力が、前記リンクプレートの第１端部から下向きに突き出る垂直のアップセット（据え込み）タブと、前記基本テンショナアームの外側の縁部との間に圧縮して配置されるコイルスプリングによって供給される、ラチェット式テンショナ。
【請求項３】
請求項１又は２に記載のラチェット式テンショナであって、前記捩り支承部に印加される捩り力が、前記捩り支承部と動作可能に係合される捩りスプリングによって供給される、ラチェット式テンショナ。
【請求項４】
請求項１〜３の何れか一項に記載のラチェット式テンショナであって、前記溝の内側の側壁が滑らかである、ラチェット式テンショナ。
【請求項５】
請求項１〜４の何れか一項に記載のラチェット式テンショナであって、前記外側の側壁がスカラップ（波形）形状から構成される、ラチェット式テンショナ。
【請求項６】
請求項１〜５の何れか一項に記載のラチェット式テンショナであって、前記調整テンショナアームがそのエンジン取り付け部の回りに回動する、ラチェット式テンショナ。
【請求項７】
請求項１〜６の何れか一項に記載のラチェット式テンショナであって、前記調整テンショナアームがエンジンに回動不可能に固定される、ラチェット式テンショナ。
【請求項８】
請求項１〜７の何れか一項に記載のラチェット式テンショナであって、前記基本テンショナアームの内側の縁部が、１つの末端において第１突出部分を、かつ、そのもう一方の末端において第２突出部分を有すると共に、フック形の第１末端部およびフック形の第２末端部を有するチェーンガイド柔軟要素をさらに含み、前記フック形の第１末端部は前記第１突出部分の回りに非固定的に掛合され、前記フック形の第２末端部は前記第２突出部分の回りに非固定的に掛合される、ラチェット式テンショナ。
【請求項９】
請求項１〜８の何れか一項に記載のラチェット式テンショナであって、前記調整テンショナアームの内側の縁部が、１つの末端において第１突出部分を、かつ、そのもう一方の末端において第２突出部分を有すると共に、フック形の第１末端部およびフック形の第２末端部を有するチェーンガイド柔軟要素をさらに含み、前記フック形の第１末端部は前記第１突出部分の回りに非固定的に掛合され、前記フック形の第２末端部は前記第２突出部分の回りに非固定的に掛合される、ラチェット式テンショナ。
【請求項１０】
請求項１〜９の何れか一項に記載のラチェット式テンショナであって、前記基本テンショナアームがその内側の縁部上にチェーンガイド柔軟要素をさらに含み、前記調整テンショナアームがその内側の縁部上にチェーンガイド柔軟要素をさらに含む、ラチェット式テンショナ。
【請求項１１】
内燃機関の閉ループチェーン駆動動力伝達システム用のラチェット式テンショナであって、
ａ）エンジンに回動可能に取り付けられる基本テンショナアームであり、チェーンの１つのストランドと接触するチェーン摺動表面を備えた内側の縁部、および、外側の縁部を有する基本テンショナアームと、
ｂ）エンジンに取り付けられる調整テンショナアームであり、チェーンの第２ストランドと接触するチェーン摺動表面を備えた内側の縁部、および、外側の縁部を有する調整テンショナアームと、
ｃ）第１端部および第２端部を有するリンクプレートであり、その第１端部の近傍において捩り支承部によって前記基本テンショナアームに回動可能に固定されるリンクプレートと、
ｄ）前記リンクプレートの第２端部に近接して配置されるピンであり、前記調整テンショナアームの外側の縁部と摺動可能に係合するように、前記調整テンショナアームの方に向かって突き出るピンと、
を含むラチェット式テンショナにおいて、
前記閉ループ動力伝達システムの構成部品の時間経過による摩耗のためにチェーン張力の弛緩が漸進的に増大する場合、前記ピンが、前記調整テンショナアームの外側の縁部に沿って漸進的に動くことが可能であり、それによって前記リンクプレートを回動させ、前記基本テンショナアームおよび前記調整テンショナアームを互いの方に向かって動かすように付勢する、ラチェット式テンショナ。
【請求項１２】
請求項１１に記載のラチェット式テンショナであって、前記捩り支承部に印加される捩り力が、前記リンクプレートの第１端部から下向きに突き出る垂直のアップセット（据え込み）タブと、前記基本テンショナアームの外側の縁部との間に圧縮して配置されるコイルスプリングによって供給される、ラチェット式テンショナ。
【請求項１３】
請求項１１又は１２に記載のラチェット式テンショナであって、前記捩り支承部に印加される捩り力が、前記捩り支承部と動作可能に係合される捩りスプリングによって供給される、ラチェット式テンショナ。
【請求項１４】
請求項１１〜１３の何れか一項に記載のラチェット式テンショナであって、前記基本テンショナアームの内側の縁部が、１つの末端において第１突出部分を、かつ、そのもう一方の末端において第２突出部分を有すると共に、フック形の第１末端部およびフック形の第２末端部を有するチェーンガイド柔軟要素をさらに含み、前記フック形の第１末端部は前記第１突出部分の回りに非固定的に掛合され、前記フック形の第２末端部は前記第２突出部分の回りに非固定的に掛合される、ラチェット式テンショナ。
【請求項１５】
請求項１１〜１４の何れか一項に記載のラチェット式テンショナであって、前記調整テンショナアームの内側の縁部が、１つの末端において第１突出部分を、かつ、そのもう一方の末端において第２突出部分を有すると共に、フック形の第１末端部およびフック形の第２末端部を有するチェーンガイド柔軟要素をさらに含み、前記フック形の第１末端部は前記第１突出部分の回りに非固定的に掛合され、前記フック形の第２末端部は前記第２突出部分の回りに非固定的に掛合される、ラチェット式テンショナ。